【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
式（１）
［ＬnＭｅmＸp］ZＹq  （１）
｛式中、
Ｍｅは、マンガン；チタン；鉄；コバルト；ニッケル又は銅を表し、
Ｘは、配位基又は架橋基を表し、
ｎ及びｍは、各々互いに独立して、１ないし８の値を有する整数を表し、
ｐは、０ないし３２の値を有する整数を表し、
ｚは、該金属錯体の電荷を表し、
Ｙは、対イオンを表し、
ｑ＝ｚ／（Ｙの電荷）であり、及び
Ｌは、式（２）
【化１】
2007523973.tif 000001
［式中、
Ｑ1は、Ｎ又はＣＲ10を表し、
Ｑ2は、Ｎ又はＣＲ11を表し、
Ｒ1、Ｒ2、Ｒ3、Ｒ4、Ｒ5、Ｒ6、Ｒ7、Ｒ8、Ｒ9、Ｒ10及びＲ11は、各々互いに独立して
、水素原子；未置換のもしくは置換された炭素原子数１ないし１８のアルキル基又は未置換のもしくは置換されたアリール基；シアノ基；ハロゲン原子；ニトロ基；−ＣＯＯＲ12又は−ＳＯ3Ｒ12
（式中、Ｒ12は、各々の場合において、水素原子、カチオン又は未置換のもしくは置換された炭素原子数１ないし１８のアルキル基又は未置換のもしくは置換されたアリール基を表す。）；
−ＳＲ13、−ＳＯ2Ｒ13又は−ＯＲ13
（式中、Ｒ13は、各々の場合において、水素原子又は未置換のもしくは置換された炭素原子数１ないし１８のアルキル基又は未置換のもしくは置換されたアリール基を表す。）；−ＮＲ14Ｒ15；−（炭素原子数１ないし６のアルキレン）−ＮＲ14Ｒ15；−Ｎ+Ｒ14Ｒ15
Ｒ16；−（炭素原子数１ないし６のアルキレン）−Ｎ+Ｒ14Ｒ15Ｒ16；−Ｎ（Ｒ13）−（
炭素原子数１ないし６のアルキレン）−ＮＲ14Ｒ15；−Ｎ［（炭素原子数１ないし６のアルキレン）−ＮＲ14Ｒ15］2；−Ｎ（Ｒ13）−（炭素原子数１ないし６のアルキレン）−
Ｎ+Ｒ14Ｒ15Ｒ16；−Ｎ［（炭素原子数１ないし６のアルキレン）−Ｎ+Ｒ14Ｒ15Ｒ16］2
；−Ｎ（Ｒ13）−Ｎ−Ｒ14Ｒ15又は−Ｎ（Ｒ13）−Ｎ+Ｒ14Ｒ15Ｒ16
（式中、Ｒ13は、上記で定義した通りであり、及び
Ｒ14、Ｒ15及びＲ16は、各々互いに独立して、水素原子又は未置換のもしくは置換された炭素原子数１ないし１８のアルキル基又は未置換のもしくは置換されたアリール基を表すか、又は
Ｒ14及びＲ15は、それらを結合する窒素原子と一緒になって、更なるヘテロ原子を含有し得る未置換の又は置換された５−、６−又は７員環を形成する。）を表す。］で表される配位子を表す。｝で表される少なくとも１種の金属錯体の、有機ペルオキシ酸及び／又は有機ペルオキシ酸前駆体並びにＨ2Ｏ2及び／又はＨ2Ｏ2前駆体との酸化反応のための触媒としての使用。
【請求項２】
Ｌは、以下の式（３）
【化２】
2007523973.tif 000002
［式中、Ｒ’3及びＲ’7は、各々互いに独立して水素原子；炭素原子数１ないし４のアルコキシ基；ヒドロキシ基；未置換の又はアルキル基部分においてヒドロキシ基により置換されたＮ−モノ−又はＮ，Ｎ−ジ−炭素原子数１ないし４のアルキルアミノ基を表し、ここで窒素原子、特に環Ａ、Ｂ及び／又はＣのうちの１つに結合しない窒素原子が四級化され得；又は未置換のもしくは少なくとも１つの炭素原子数１ないし４のアルキル基により置換されたピロリジン基、ピペリジン基、ピペラジン基、モルホリン基又はアゼパン環を表し、ここでアミノ基は四級化され得、
Ｒ’5は炭素原子数１ないし４のアルコキシ基；ヒドロキシ基；未置換の又はアルキル基
部分においてヒドロキシ基により置換されたＮ−モノ−又はＮ，Ｎ−ジ−炭素原子数１ないし４のアルキルアミノ基を表し、ここで窒素原子、特に環Ａ、Ｂ及び／又はＣのうちの１つに結合しない窒素原子が四級化され得；又は未置換のもしくは少なくとも１つの炭素原子数１ないし４のアルキル基により置換されたピロリジン基、ピペリジン基、ピペラジン基、モルホリン基又はアゼパン環を表し、ここでアミノ基は四級化され得、
但し、
（ｉ）置換基Ｒ’3  、Ｒ’5及びＲ’7の少なくとも１つが、
【化３】
2007523973.tif 000003
（式中、Ｒ15及びＲ16は各々互いに独立して水素原子又は未置換のもしくは置換された炭素原子数１ないし１８のアルキル基又は未置換のもしくは置換されたアリール基を表し、及びここで非枝分かれ鎖の又は枝分かれ鎖のアルキレン基は未置換であるか又は置換され得、及びここで枝分かれ鎖の又は非枝分かれ鎖の炭素原子数１ないし４のアルキル基は互いに独立して、未置換であるか又は置換され得及びここでピペラジン環は未置換であるか又は置換され得る。）で表される基の一つを表す。］を有する、請求項１記載の使用。
【請求項３】
Ｌは、以下の式（４）及び／又は（５）
【化４】
2007523973.tif 000004
［式中、Ｒ’5は炭素原子数１ないし４のアルコキシ基；Ｃｌ；ヒドロキシ基；フェニル
基；Ｏ炭素原子数１ないし２のアルキル基、ＯＨ又は炭素原子数１ないし４のアルキル基により置換されたフェニル基；未置換の又はアルキル基部分においてヒドロキシ基により置換されたＮ−モノ−又はＮ，Ｎ−ジ−炭素原子数１ないし４のアルキルアミノ基；又は−ＮＲ14Ｒ15；−（炭素原子数１ないし６のアルキレン）−ＮＲ14Ｒ15；−Ｎ（Ｒ13）−（炭素原子数１ないし６のアルキレン）−ＮＲ14Ｒ15；−Ｎ［（炭素原子数１ないし６のアルキレン）−ＮＲ14Ｒ15］2；又は−Ｎ（Ｒ13）−Ｎ−Ｒ14Ｒ15
（ここで、Ｒ13は水素原子；炭素原子数１ないし１２のアルキル基又は未置換のフェニル基又は（アルキル基部分においてヒドロキシ基により置換された）Ｎ−モノ−又はＮ，Ｎ−ジ−炭素原子数１ないし４のアルキルアミノ基、Ｎ−フェニルアミノ基、Ｎ−ナフチルアミノ基、フェニル基、フェノキシ基又はナフチルオキシ基により置換されたフェニル基を表し、及び
Ｒ14及びＲ15は各々互いに独立して水素原子；未置換の又はヒドロキシ基により置換された炭素原子数１ないし１２のアルキル基；未置換のフェニル基又は上述した通りに置換されたフェニル基を表し、又は
Ｒ14及びＲ15は、それらを結合する窒素原子と一緒になって、未置換の又は少なくとも１つの未置換の炭素原子数１ないし４のアルキル基及び／又は置換された炭素原子数１ないし４のアルキル基により置換されたピロリジン、ピペリジン、ピペラジン、モルホリン又はアゼパン環、特にピロリジン、ピペリジン、ピペラジン、モルホリン又はアゼパン環を表す。）を表し、及び
Ｒ’3及びＲ’7は、各々互いに独立して水素原子；炭素原子数１ないし４のアルコキシ基；Ｃｌ；ヒドロキシ基；フェニル基；Ｏ炭素原子数１ないし２のアルキル基、ＯＨ又は炭素原子数１ないし４のアルキル基により置換されたフェニル基；アルキル基部分においてヒドロキシ基により置換されたＮ−モノ−又はＮ，Ｎ−ジ−炭素原子数１ないし４のアルキルアミノ基；又は−ＮＲ14Ｒ15；−（炭素原子数１ないし６のアルキレン）−ＮＲ14Ｒ15；−Ｎ（Ｒ13）−（炭素原子数１ないし６のアルキレン）−ＮＲ14Ｒ15；−Ｎ［（炭素
原子数１ないし６のアルキレン）−ＮＲ14Ｒ15］2；又は−Ｎ（Ｒ13）−Ｎ−ＮＲ14Ｒ15
（ここで、Ｒ13は水素原子；炭素原子数１ないし１２のアルキル基又は未置換のフェニル基又は（アルキル基部分においてヒドロキシ基により置換された）Ｎ−モノ−又はＮ，Ｎ−ジ−炭素原子数１ないし４のアルキルアミノ基、Ｎ−フェニルアミノ基、Ｎ−ナフチルアミノ基、フェニル基、フェノキシ基又はナフチルオキシ基により置換されたフェニル基を表し、及び
Ｒ14及びＲ15は、各々互いに独立して水素原子；未置換の又はヒドロキシ基により置換された炭素原子数１ないし１２のアルキル基；未置換のフェニル基又は上述した通りに置換されたフェニル基を表し、又は
Ｒ14及びＲ15は、それらに結合する窒素原子と一緒になって、未置換の又は少なくとも１つの未置換の炭素原子数１ないし４のアルキル基及び／又は置換された炭素原子数１ないし４のアルキル基により置換されたピロリジン、ピペリジン、ピペラジン、モルホリン又はアゼパン環、特にピロリジン、ピペリジン、ピペラジン、モルホリン又はアゼパン環を表す。）を表す。］を有する、請求項１に記載の使用。
【請求項４】
式中、Ｌは、以下の式（４）及び／又は（５）
【化５】
2007523973.tif 000005
［式中、Ｒ’3及びＲ’7は、各々互いに独立して水素原子；炭素原子数１ないし４のアルコキシ基；Ｃｌ；ヒドロキシ基；フェニル基；Ｏ炭素原子数１ないし２のアルキル基、ＯＨ又は炭素原子数１ないし４のアルキル基により置換されたフェニル基；未置換の又はアルキル基部分においてヒドロキシ基により置換されたＮ−モノ−又はＮ，Ｎ−ジ−炭素原子数１ないし４のアルキルアミノ基、ここで窒素原子、特に環Ａ、Ｂ及び／又はＣのうちの１つに直接に結合されない窒素原子が四級化され得；又は未置換の又は少なくとも１つの炭素原子数１ないし４のアルキル基により置換されたピロリジン、ピペリジン、ピペラジン、モルホリン又はアゼパン環を表し、ここでアミノ基は四級化され得、
Ｒ’5は、炭素原子数１ないし４のアルコキシ基；Ｃｌ；ヒドロキシ基；フェニル基；Ｏ
炭素原子数１ないし２のアルキル基、ＯＨ又は炭素原子数１ないし４のアルキル基により置換されたフェニル基；未置換の又はアルキル基部分においてヒドロキシ基により置換されたＮ−モノ−又はＮ，Ｎ−ジ−炭素原子数１ないし４のアルキルアミノ基、ここで窒素原子、特に環Ａ、Ｂ及び／又はＣのうちの１つに直接に結合されない窒素原子が四級化され得；又は未置換の又は少なくとも１つの炭素原子数１ないし４のアルキル基により置換されたピロリジン、ピペリジン、ピペラジン、モルホリン又はアゼパン環を表し、ここでアミノ基は四級化され得、
但し
（ｉ）置換基Ｒ’3  、Ｒ’5及びＲ’7のうち少なくとも１つが
【化６】
2007523973.tif 000006
（式中、Ｒ15及びＲ16は、各々互いに独立して水素原子又は未置換のもしくは置換された炭素原子数１ないし１８のアルキル基又は未置換のもしくは置換されたアリール基を表し及び
ここで非枝分かれ鎖の又は枝分かれ鎖のアルキレン基は、未置換であるか又は置換され得、及びここで互いに独立して枝分かれ鎖又は非枝分かれ鎖の炭素原子数１ないし４のアルキル基は未置換であるか又は置換され得及びここでピペラジン環は未置換であるか又は置換され得る。）を表す。］を有する、請求項１に記載の使用。
【請求項５】
アルキル鎖において少なくとも１ないし２０の炭素原子を有する少なくとも１つのモノ−又はポリ−ペルオキシ酸及び／又はその対応する前駆体及びＨ2Ｏ2が使用される請求項１ないし４のいずれかに記載の使用。
【請求項６】
少なくとも１つの式
【化７】
2007523973.tif 000007
（式中、Ｍは水素原子又はカチオンを表し、
Ｒ18は未置換の炭素原子数１ないし１８のアルキル基；置換された炭素原子数１ないし１８のアルキル基；未置換のアリール基；置換されたアリール基；−（炭素原子数１ないし６のアルキレン）−アリール基、ここでアルキレン基及び／又はアルキル基は置換され得；及びフタルイミド炭素原子数１ないし８のアルキレン基、ここでフタルイミド及び／又はアルキレン基は置換され得る。）
で表される有機ペルオキシ酸を使用する請求項１ないし５のいずれかに記載の使用。
【請求項７】
ＣＨ3ＣＯＯＯＨ又はε−フタルイミドペルオキシへキサン酸又はそのアルカリ塩が使用
される、請求項１ないし６のいずれかに記載の使用。
【請求項８】
ペルオキシ酸の前駆体としてＴＡＥＤ及び／又はＮＯＢＳ及び過炭酸ナトリウム及び／又は過ホウ酸ナトリウムが使用される、請求項１ないし７のいずれかに記載の使用。
【請求項９】
以下を含有する洗浄、清浄、消毒又は漂白組成物
Ｉ）０ないし５０質量％、好ましくは０ないし３０質量％のＡ）少なくとも１種のアニオン性界面活性剤及び／又はＢ）非イオン性界面活性剤、
ＩＩ）０ないし７０質量％、好ましくは０ないし５０質量％のＣ）少なくとも１種のビルダー物質、
ＩＩＩ）１ないし９９質量％、好ましくは１ないし５０質量％のＤ）請求項５、６、７及び８で定義された通りの少なくとも一つのペルオキシ酸及び／又は少なくとも一つのペルオキシ酸の前駆体であって、後者は過酸化水素及び／又は過酸化水素の前駆体と組み合わ
せたもの、
ＩＶ）液に洗浄、清浄、消毒又は漂白剤を０．５ないし２０ｇ／リットル添加した場合、前記液中に０．５ないし１００ｍｇ／リットル、好ましくは１ないし５０ｍｇ／リットルの濃度を与える量の、Ｅ）請求項１ないし４で定義された通りの少なくとも１種の式（１）で表される金属錯体化合物、及び、
Ｖ）１００質量％までの水、
ここでパーセントは、各々の場合において組成物の総質量に基づき、質量によるパーセントである。
【請求項１０】
以下を含有する固体製剤
ａ）１ないし９９質量％、好ましくは１ないし４０質量％、特に１ないし３０質量％の請求項１ないし４で定義された通りの少なくとも１種の式（１）で表される金属錯体化合物及び請求項５、６、７及び８で定義された通りの少なくとも１種の有機ペルオキシ酸及び／又は少なくとも１種の有機ペルオキシ酸の前駆体及びＨ2Ｏ2、
ｂ）１ないし９９質量％、好ましくは１０ないし９９質量％、特に２０ないし８０質量％の少なくとも１種の結合剤、
ｃ）０ないし２０質量％、特に１ないし２０質量％の少なくとも１種のカプセル化材
ｄ）０ないし２０質量％の少なくとも１種の更なる添加剤、及び
ｅ）０ないし２０質量％の水。
【請求項１１】
顆粒の形態である、請求項１０記載の固体配合物。
【手続補正２】
【補正対象書類名】明細書
【補正対象項目名】０１０１
【補正方法】変更
【補正の内容】
【０１０１】
実施例５４：２，６−ビス［４−（４−メチル−ピペラジニ−１−イル）−ピリジ−２−イル］−ピリミジン−４−オール（配位子ＰＭ６）
【化８】
2007523973.tif 000008
実施例５３からの２，６−ビス（４−クロロピリジ−２−イル）−ピリミジン−４−オール１．１６ｇ（３．６２ｍｍｏｌ），Ｎ−メチルピペラジン８．０４ｍＬ（７２ｍｍｏｌ）、塩化亜鉛（ＩＩ）２５ｍｇ及び２−メチル−２−ブタノール３６ｍＬの混合物を１６時間還流し、冷却そして濾過し、そして２−プロパノールからの再結晶化を行った。２，６−ビス［４−（４−メチル−ピペラジニ−１−イル）−ピリジ−２−イル］−ピリミジン−４−オール（配位子ＰＭ６）を黄色がかった固体形態で得た。
1Ｈ−ＮＭＲ（３６０ＭＨｚ，ＤＭＳＯ−ｄ6）：１１．９２（ｂｒ ｓ，１Ｈ）；８．３
１（ｄ，Ｊ＝５．９Ｈｚ，１Ｈ）；８．３０（ｄ，Ｊ＝５．９Ｈｚ，１Ｈ）；７．９４（ｂｒ ｓ，２Ｈ）；７．１６（ｓ，１Ｈ）；７．０８（ｄｄ，Ｊ＝６．３，２．７Ｈｚ，
１Ｈ）；６．９５８（ｄｄ，Ｊ＝６．３，２．７Ｈｚ，１Ｈ）；３．５２−３．４１（ｍ，８Ｈ）；２．５４−２．４９（ｍ，４Ｈ）；２．４８−２．４３（ｍ，４Ｈ）；２．２４（ｓ，６Ｈ）。